(57)【要約】【課題】ハンドル摘みの内部に簡単なロックピンを追加するだけで、所定のハンドル位置（例えば、ＯＦＦ位置）にてハンドル摘みに付設したオルタネイト動作方式のロックプレートをプッシュ操作してハンドルのロック／釈放操作が行えるように改良した外部操作ハンドル装置を提供する。【解決手段】ロータリー式ハンドル摘み４にオルタネイト動作方式のプッシュ操作式ロックプレート１１を付設し、所定のハンドル位置（ＯＦＦ位置）でロックプレート１１をハンドル摘み４から引出してハンドルを鎖錠するようにした外部操作ハンドル装置において、ハンドル摘み４の内部に、ロックプレート１１の押込み移動経路に出没してロックプレートのプッシュ操作を規制するスライド式のロックピン１４を設け、所定のハンドル位置（ＯＦＦ位置）ではロックピン１４をロックプレート１１の押込み移動経路から後退させてロックプレートの引出しを可能にする。【選択図】図１
2011014431.tif 000002
【特許請求の範囲】
【請求項１】
盤内に装備した回路遮断器を盤外から開閉操作する外部操作ハンドル装置であり、そのロータリー式ハンドル摘みにオルタネイト動作式のロックプレートを付設し、所定のハンドル位置で前記ロックプレートをプッシュ操作によりハンドル摘みから引出してハンドルをロック位置に鎖錠するようにしたものにおいて、
前記ハンドル摘みの内部に、ロックプレートの押込み移動経路に出没してロックプレートのプッシュ操作を規制するスライド式のロックピンを設け、かつ該ロックピンを所定のハンドル位置でロックプレートの移動経路から後退可能に設定したことを特徴とする回路遮断器の外部操作ハンドル装置。
【請求項２】
請求項１に記載の外部操作ハンドル装置において、ロックピンの先端に対向してロックプレートの先端に斜めカットしたテーパー付き操作部を形成するとともに、ロックピンの他端をハンドルカバーに形成したリブ状周壁の頂面に摺動可能に当接させ、かつ該リブ状周壁の周上には所定のハンドル位置に合わせてロックピンの没入を許容する凹段部を形成したことを特徴とする回路遮断器の外部操作ハンドル装置。
【発明の詳細な説明】
【技術分野】
【０００１】
この発明は、配線用遮断器，漏電遮断器などの回路遮断器に適用する外部操作ハンドル装置に関する。
【背景技術】
【０００２】
配線用遮断器，漏電遮断器などの付属装置として、配電盤，制御盤などの盤内に配備した回路遮断器を盤外から開閉操作する外部操作ハンドル装置が周知である。
この外部操作ハンドル装置は、取付ベースにロータリー式のハンドル摘みと、該ハンドル摘みと回路遮断器のロッカー式ハンドルとの間を連繋するドライブ機構（回転運動を直線運動に変換）を組合せた構成になり、この外部操作ハンドル装置を盤内に配備した回路遮断器に組付けた状態で、盤外から手動によりハンドルを操作して回路遮断器をＯＮ，ＯＦＦ位置に駆動する。
【０００３】
また、この外部操作ハンドル装置のハンドル摘みにロックプレートを付設し、回路遮断器のＯＦＦ位置（ないしＯＮ位置）で前記ハンドル摘みから引出したロックプレートに南京錠を掛けてハンドルをこの位置に鎖錠するようにした外部操作ハンドル装置のロック機構が公知である。
【０００４】
一方、前記ハンドルロック機構については、通称ハートカム機構（循環カム機構とも呼ばれる）として知られるカム機構を応用したロック手段を採用し、ロックプレートの１回目のプッシュ操作によりカム機構の係止を解除してロックプレートをばね付勢により引出し位置に駆動し、２回目のプッシュ操作で元の位置に復帰させるようにしたオルタネイト動作方式のハンドルロック機構がこの発明と同一出願人より先に提案されており（特許文献１参照）、次にその構成概要を図５〜図１０で説明する。
【０００５】
図５〜図１０において、１は回路遮断器、２は制御盤などの盤扉に取付けて回路遮断器１に連結した外部操作ハンドル装置である。この外部操作ハンドル装置２は特許文献１にも詳しく述べられているように、取付ベース３にロータリー式のハンドル摘み４、ターンベース５，スライドベース６，ハンドルカバー７からなるドライブ機構、および化粧板８，掛け金９を備えた構成になり、化粧板８，掛け金９を制御盤などの盤扉に固着して盤内に配置した回路遮断器１に連結して使用する。
【０００６】
ここで、前記ターンベース（クランク板）５はハンドル摘み４に連結シャフト１０を介して連結されている。一方、スライドベース６は取付ベース３の裏面側に組み付けて回路遮断器１のロッカーハンドル１ａの切換え方向へスライド可能に案内支持されており、その板面に植設したピン（クランクピン）６ａを前記ターンベース５に開口したクランク溝５ａに嵌挿し、連結シャフト１０を介してハンドル摘み４と連繋するようにしている。また、スライドベース６には、回路遮断器１のロッカーハンドル１ａを前後から挟むようにアーム６ｂが突き出しており、当該ハンドル装置を回路遮断器１に装着した状態では、そのロッカーハンドル１ａを前記アーム６ｂの間に挟んで連結している。なお、ハンドルカバー７の端面には銘板７ａを貼着してハンドル摘み４のＯＮ，ＴＲＩＰ，ＯＦＦ，ＯＰＥＮ位置を表示するようにしている。
【０００７】
上記の構成で、ハンドル摘み４をＯＮ，ＯＦＦ位置に回転操作すると、この回転運動がターンベース５を介してスライドベース６の直線運動に変換される。これにより、スライドベース６のアーム６ｂを介して回路遮断器１のロッカーハンドル１ａがＯＮ，ＯＦＦ位置に駆動されて回路遮断器の主回路接点が閉，開動作する。
【０００８】
また、図示の外部操作ハンドル装置２には、ハンドル摘み４をＯＦＦ位置に鎖錠するロック手段として、ハンドル摘み４の後部側に嵌合して背後側に引出し可能に組み込んだプッシュ操作式のロックプレート１１を備えている。
【０００９】
このロックプレート１１には、図９で示すようにレバーの端部に錠掛け穴１１ａ、レバーの下面側に突き出した係合突起１１ｂ、およびオルタネイト動作機能を付与するハートカム１１ｃが形成されており、ハンドル摘み４に取り付けてハートカム１１ｃのカム面に係合した線ばねのトレースピン（不図示），ロックプレートを引出し方向に付勢する圧縮ばね（不図示）と組み合わせて前記ハンドル摘み４の内方に側方から嵌入して押込み／引出し方向へスライド可能に保持されている。なお、図示例はロックプレート１１にハートカム１１ｃを形成しているが、これとは逆にハートカムをハンドル摘み４の内側に形成し、そのトレースピンをロックプレート１１に取付けた構成もある。
【００１０】
前記ハートカム１１ｃの構造，動作機能は特許文献１で詳しく述べられおり、ハンドル摘み４のＯＦＦ位置（回路遮断器１が開極）でロックプレート１１をプッシュ操作すると、ハートカムとトレースピンとの係合が外れ、ロックプレート１１がばね付勢により引出し位置に移動するとともに、この引出し位置では前記係合突起１１ｂがハンドルカバー７の内周筒部に切欠き形成した半径方向のロック溝７ｂ（図１０参照）に入り込んでハンドル摘み４をＯＦＦ位置から回らないように係止する。そして、この状態でロックプレート１１の錠掛け穴１１ａに南京錠１２を掛けると（図６参照）、ハンドル摘み４がＯＦＦ位置に施錠される。
【００１１】
なお、この外部操作ハンドル装置では、図１０で示すようにロックプレート１１の係合突起１１ｂに対向して、ハンドルカバー７の上面中央には中心軸穴を取り囲むリブ状の周壁７ｃを設けてロックプレート１１の押込み操作を規制するようにし、かつこの周壁７ｃの外周面にはハンドル摘み４のＯＦＦ位置に合わせてロックプレート１１の係合突起１１ｂの進入を許容する凹状の逃げ溝７ｄを形成している。この構成により、ハンドル摘み４のＯＦＦ位置でロックプレート１１を押し込むと、係合突起１１ｂが前記逃げ溝７ｄに進入してハートカム機構のオルタネイト動作，およびその動作に必要な押込みストロークを確保するようにしている。なお、ＯＦＦ位置以外のハンドル位置ではロックプレート１１の係合突起１１ｂが周壁７ｃの周面に阻まれるので、ロックプレート１１をプッシュ操作して引き出すことはできない。
【００１２】
なお、外部操作ハンドル装置のロックを釈放するには、南京錠１２（図６参照）を外した後に、ロックプレート１１を再度プッシュ操作する。これにより、ハートカム機構のオルタネイト動作によりロックプレート１１が当初の押込み位置に復帰してハンドル摘み４の係止が解除され、ハンドルをＯＮ位置に回せるようになる。
【先行技術文献】
【特許文献】
【００１３】
【特許文献１】特開２００８−７７９７２号公報
【発明の概要】
【発明が解決しようとする課題】
【００１４】
回路遮断器の外部操作ハンドル装置については、前記したロータリー式のハンドル摘みとドライブ機構のターンベースとの間にアシストカム機構を介装し、回路遮断器のトリップ動作時にハンドル摘みがＴＲＩＰ動作表示位置へ確実に移動するようにした構成の外部操作ハンドル装置がこの発明と同一出願人より特開２００７−３１７５９０号として提案されている。このアシストカム機構付き外部操作ハンドル装置は比較的小形，小容量の回路遮断器（配線用遮断器，漏電遮断器）に適用されることから、この外部操作ハンドル装置は適用する回路遮断器の外形サイズに合わせた小形な構造に作られている。
【００１５】
次に、前記アシストカム機構付き外部操作ハンドル装置の構造を図１１に示す。なお、図１１の図中で図５〜図８に対応する部材には同じ符号を付している。すなわち、図１１の構成においては、ハンドル摘み４の連結シャフト１０とターンベース５との間にアシストカム機構１３が介装されている。このアシストカム機構１３は端面に山部と谷部のカム面を形成したカム体１３ａと、該カム体１３ａのカム面に当接するカムフォロア１３ｂと、付勢ばね１３ｃと、カバー１３ｄとからなり、中空構造の連結シャフト１０の内部に組み込まれている。なお、このアシストカム機構１３の詳細な構造，機能は特開２００７−３１７５９０号公報に詳しく述べられている。
【００１６】
ところで、前記のアシストカム機構を内蔵した外部操作ハンドル装置（図１１参照）に先記したオルタネイト動作方式のプッシュ操作式ハンドルロック機構（特許文献１参照）を採用しようとすると、アシストカム機構によるスペース的な制約を受けるために、このままでは図５〜図１０で述べたと同じハンドルロック機構を装備することが困難となる。
【００１７】
すなわち、図１１の構成ではハンドルカバー７の中心部には、径大なアシストカム機構１３，およびこのアシストカム機構１３を包囲する中空な連結シャフト１０が占有している。一方、ハンドルカバー７は外部操作ハンドル装置の仕様サイズに合わせて外径寸法が限定される。このために、アシストカム機構１３の外周側でハンドルカバー７の内部に図１０で述べたようなリブ状筒部７ｃ，および周面の逃げ溝７ｄを形成してロックプレート１１の押込みストロークを確保することが設計的に困難となる。
【００１８】
この発明は上記の点に鑑みなされたものであり、前記のアシストカム機構を内蔵した外部操作ハンドル装置であっても、そのアシストカム機構による構造，スペース的な制約を受けることなしに、ハンドル摘みの内部に簡単な部品を追加するだけで、所定のハンドル位置（例えば、ＯＦＦ位置）にてハンドル摘みに付設したオルタネイト動作方式のロックプレートをプッシュ操作してハンドルのロック／釈放操作が行えるようにした外部操作ハンドル装置を提供することを目的とする。
【課題を解決するための手段】
【００１９】
上記目的を達成するために、この発明によれば、ロータリー式ハンドル摘みにオルタネイト動作式のロックプレートを付設し、所定のハンドル位置で前記ロックプレートをプッシュ操作によりハンドル摘みから引出してハンドルをロック位置に鎖錠するようにした外部操作ハンドル装置において、
前記ハンドル摘みの先端側内部に、ロックプレートの押込み移動経路に出没してロックプレートのプッシュ操作を規制するスライド式のロックピンを設け、かつ該ロックピンを所定のハンドル位置でロックプレートの移動経路から後退可能に設定するものとし（請求項１）、具体的には次記態様で構成する。
【００２０】
前記構成において、ロックピンの先端に対向してロックプレートの先端に斜めカットしたテーパー付き操作部を形成するとともに、ロックピンの他端をハンドルカバーに形成したリブ状周壁の頂面に摺動可能に当接させ、かつ該リブ状周壁の周上には所定のハンドル位置に合わせてロックピンの没入を許容する凹段部を形成する（請求項２）。
【発明の効果】
【００２１】
上記構成によれば、常時はハンドル摘みの内部に設けたロックピンがロックプレートの前方に突き出してロックプレートの押込み操作を阻止している。一方、ハンドルを所定の位置（例えば、回路遮断器のＯＦＦ位置）に回すと、ロックプレートの押込みによりロックピンが後退位置に没入してロックプレートの拘束を解く。これにより、ハートカムのオルタネイト動作によりロックプレートが引出し位置に移動してハンドル装置をロック位置に鎖錠するので、南京錠を掛けてハンドルをこの位置に施錠することができる。
【００２２】
しかも、このロックピンはハンドル装置の軸方向にスライドしてロックプレートの押込み移動経路から出没可能に設定されており、先記の特許文献１に開示されているロック機構のように、ハンドルカバーの中心近くにリブ状の周壁を形成した上で、該周壁の周面にロックプレートの押込みを許容する逃げ溝を形成する構造，およびロックプレートの押込みに要する半径方向のスペース確保が不要となる。これにより、図１１で述べたアシストカム機構を内蔵した小形の外部操作ハンドル装置であっても、アシストカム機構によるスペース的な制約を受けることなく、小形なハンドル装置の限られたスペースを有効に活用してオルタネイト動作方式のプッシュ操作式ロックプレートを装備することができる。
【図面の簡単な説明】
【００２３】
【図１】この発明の実施例による外部操作ハンドル装置の構成図であり、（ａ）は回路遮断器のＯＦＦ位置に対応した状態を表す断面図、（ｂ）は（ａ）の正面図、（ｃ）はハンドルカバー単独の外形斜視図である。
【図２】回路遮断器のＯＮ位置に対応した状態を表す図１と異なる向きから見た外部操作ハンドル装置の断面図である。
【図３】図１，図２におけるハンドル摘み，ロックプレートの構造図であり、（ａ）はハンドル摘みにロックプレートを組み付ける前の状態を表す分解斜視図、（ｂ）はハンドル摘みの側面図、（ｃ）はハンドル摘みの底面図である。
【図４】この発明の実施例による外部操作ハンドル装置の分解斜視図である。
【図５】特許文献１に開示されている外部操作ハンドル装置を回路遮断器に取付けた状態を表す外観図である。
【図６】図５の外部操作ハンドル装置に南京錠を掛けて施錠したロック状態を表す外観図である。
【図７】図５における外部操作ハンドル装置の詳細構造を表す分解斜視図である。
【図８】図７における取付ベース，スライドベースの分解斜視図である。
【図９】図７におけるロックプレートを裏面側から見た外形斜視図である。
【図１０】図７におけるハンドルカバーの平面図である。
【図１１】アシストカム機構を内蔵した外部操作ハンドル装置の構造を表す断面図である。
【発明を実施するための形態】
【００２４】
以下、アシストカム機構を内蔵した外部操作ハンドル装置を実施対象に、この発明の実施の形態を図１〜図４に示す実施例に基づいて説明する。なお、実施例の図中で、図５〜図１１に対応する部材には同じ符号を付してその説明は省略する。
【００２５】
この実施例は、ハンドル摘み４とターンベース５との間にアシストカム機構１３を介装し、その周域をハンドルカバー７で包囲した構成になる外部操作ハンドル装置（図１１参照）について、そのハンドル摘み４の先端側内部にはロックプレート１１のプッシュ操作を規制するスライド式のロックピン１４を設け、後記のように所定のハンドル位置（回路遮断器のＯＦＦ位置）でロックピン１４による拘束を解除してロックプレート１１をプッシュ操作してロック位置に引き出せるようにしたものである。
【００２６】
次に、この実施例に対応するハンドル摘み４，および該ハンドル摘み４に装着したロックプレート１１の組立構造を図３（ａ）〜（ｃ）に示す。すなわち、ハンドル摘み４には、連結シャフト１０の一端が嵌まり込む角筒部４ａ、ロックプレート１１を押込み／引出し方向に案内支持する嵌合溝部４ｂ、ロックプレート１１にオルタネイト動作機能を付与するハートカム４ｃ、および前記ロックピン１４をスライド可能に支持するピン穴４ｄが形成されている。
【００２７】
ここで、ロックピン１４はハンドル摘み４の先端側に近い内部に組み込んでハンドルの軸方向へスライド可能に支持されており、その一端はハンドル摘み４に組み込んだロックプレート１１の押込み移動経路に突き出し、これにロックプレート１１の先端側に突き出して斜めカットしたテーパー付き操作端１１ｄを対峙させている。また、ロックピン１４の他端はハンドルカバー５の端面に形成したリブ状周壁７ｃ（図４参照）の上面に突き当てて摺動可能に案内支持し、かつこのリブ状周壁７ｃの周上には、図１（ｃ）で示すようにハンドルのＯＦＦ位置に合わせて凹段部７ｅを形成している。一方、図３（ａ）において、１５はロックプレート１１に一端を結合してハンドル摘み４に形成したハートカム４ｃに当接させたトレースピン、１６はロックプレート１１を引出し方向に付勢する圧縮コイルばねである。
【００２８】
上記の構成で、ハンドル摘み４をＯＦＦ位置に回して回路遮断器１を開極すると（図１（ａ）参照）、ロックピン１４はハンドルカバー７に形成したリブ状周壁７ｃの凹段部７ｅの位置に移動する。この状態でロックプレート１１に矢印ｆ方向の力を加えてプッシュ操作すると、ロックピン１４はロックプレート１１のテーパー付き操作端１１ｄに押し込まれてロックプレート１１の押込み移動経路から後退する。したがって、ロックプレート１１はロックピン１４の拘束を受けずに前進移動してハートカム４ｃとトレースピン１５との係合が外れた後、圧縮コイルばね１６のばね付勢で引出し位置に駆動される。
【００２９】
これにより、ロックプレート１１の係合突起１１ｂがハンドルカバー７に形成した半径方向のロック溝７ｂ（図１０参照）に入り込んでハンドル摘み４をこの位置に係止するとともに、図５で述べたように引出したロックプレート１１に南京錠１２を掛けてハンドル装置をＯＦＦ位置に施錠することができる。なお、南京錠１２を外した上で、ロックプレート１１を再度プッシュ操作すると、ハートカム機構のオルタネイト動作によりロックプレート１１が元の位置に戻ってハンドルのロック状態を解除する。
【００３０】
一方、ハンドル摘み４をＯＦＦ位置から例えばＯＮ位置に回して回路遮断器１を投入した状態（図２参照）では、ロックピン１４の先端がロックプレート１１の押込み移動経路に突き出してロックプレートの押込みを阻止する。したがって、このＯＮ位置ではロックプレート１１をプッシュ操作してハンドル摘み４から引き出すことができない。
【００３１】
なお、上記実施例のハンドル装置は、ハンドル摘み４とターンベース５との間にアシストカム機構１３を介装しているが、アシストカム機構を備えてないハンドル装置についても、図示実施例と同様にハンドル摘み４にロックピン１４を設けてロックプレート１１の押込みを規制するようにすることも可能である。また、図示実施例ではハートカム機構のハートカムをハンドル摘み４に形成し、トレースピン１５をロックプレート１１に設けているが、これとは逆に図９で述べたようにロックプレート１１にハートカムを形成し、トレースピンをハンドル摘み４に設けて実施するようにしてもよい。
【符号の説明】
【００３２】
１    回路遮断器
１ａ  ロッカー式ハンドル
２    外部操作ハンドル装置
４    ハンドル摘み
７    ハンドルカバー
７ｃ  リブ状周壁
７ｄ  凹段部
１１    ロックプレート
１１ａ  錠掛け穴
１１ｂ  係合突起
１１ｄ  テーパー付き操作端
１２    南京錠
１４    ロックピン
１５    トレースピン
【図１】
2011014431.tif 000003
【図２】
2011014431.tif 000004
【図３】
2011014431.tif 000005
【図４】
2011014431.tif 000006
【図５】
2011014431.tif 000007
【図６】
2011014431.tif 000008
【図７】
2011014431.tif 000009
【図８】
2011014431.tif 000010
【図９】
2011014431.tif 000011
【図１０】
2011014431.tif 000012
【図１１】
2011014431.tif 000013